(57)【要約】【課題】本考案は、食器洗浄具に関するものであり、詳しくはコップや湯のみ類とポット等の深さの異なるものの両方の洗浄を可能にした伸縮コップ・ポット洗いに関するものである。【解決手段】中央部を盛り上げてスイッチ中央部（３−ａ）とし、その反対面直角の位置にハの字形でストッパー挟み部（３−ｂ）を有し、ストッパー挟み部（３−ｂ）とスイッチ中央部（３−ａ）に接する部分の一方は前方を削り取り、もう一方は後方を削り取り、ストッパー挟み部（３−ｂ）のハの字形の広くなったほうの中ほどより下側部分は両サイドとも削り取った切り替えスイッチと、筒状で先端に頭部支持部用開口部（４−ａ）、先端より少し中ほど上面にスイッチ用開口部（４−ｂ）、頭部支持部用開口部（４−ａ）より筒状内側の左右にストッパー（４−ｃ）を設けた握り部（４）を設けたことを特徴とする。【選択図】図１
0003107335.tif 000002
【実用新案登録請求の範囲】
【請求項１】
（イ）先端に頭部掴み部（２−ａ）、中央より少し後ろ部分の両側に切り込み部（２−ｂ）を設けた頭部支持部（２）を設ける。
（ロ）中央部を盛り上げてスイッチ中央部（３−ａ）とし、その反対面直角の位置にハの字形でストッパー挟み部（３−ｂ）を有する切り換えスイッチ（３）を設け、ストッパー挟み部（３−ｂ）とスイッチ中央部（３−ａ）に接する部分の一方は前方を削り取り、もう一方は後方を削り取り、ストッパー挟み部（３−ｂ）のハの字形の広くなったほうの中ほどより下側部分は両サイドとも削り取る。
（ハ）筒状で、先端に頭部支持部用開口部（４−ａ）、先端より少し中ほど上面にスイッチ用開口部（４−ｂ）、頭部支持部用開口部（４−ａ）より筒状内側の左右にストッパー（４−ｃ）を設けた握り部（４）を設ける。
（ニ）頭部（１）・引っ掛け部（５）をそれぞれ設ける。
以上の構成によりなる伸縮コップ・ポット洗い。
【考案の詳細な説明】
【技術分野】
【０００１】  本考案は、食器洗浄具に関するものであり、詳しくはコップや湯のみ類とポット等の深さの異なるものの両方の洗浄を可能にした伸縮コップ・ポット洗いに関するものである。
【背景技術】
【０００２】  従来、コップや湯のみ類を洗浄するコップクリーナーとポットを洗浄するポットクリーナーは別々の物が販売されてきた。近時、柄を伸縮可能にしてこの二つを兼用出来るものが多数販売されているが、各タイプとも柄を伸縮させるためにどうしても機構が複雑になるため、デザインがすっきりせず、その上部品点数が多くなるため組み立て作業に手間取り、結果として単価が高くならざるを得ない状況であった。
【考案の開示】
【考案が解決しようとする課題】
【０００３】  本考案は上記事情を鑑み、コップクリーナーとポットクリーナーを兼用させた上に尚且つデザイン性にも優れ、部品点数も少なくして安価で供給出来る伸縮コップ・ポット洗いを提供することを目的とする。
【課題を解決するための手段】
【０００４】  上記課題を解決するために本考案は、市販されているコップ・ポット兼用クリーナーの切り換え機構を握り部分の内側に組み込んだことを最大の特徴とする。【０００５】（イ）コップやポットを洗浄する頭部（１）を設ける。
（ロ）先端に頭部掴み部（２−ａ）、中央より少し後ろ部分の両側に切り込み部（２−ｂ）を設けた頭部支持部（２）を設ける。
（ハ）中央部を盛り上げてスイッチ中央部（３−ａ）とし、その反対面直角の位置にハの字形でストッパー挟み部（３−ｂ）を有する切り換えスイッチ（３）を設ける。ストッパー挟み部（３−ｂ）とスイッチ中央部（３−ａ）に接する部分の一方は前方を削り取り、もう一方は後方を削り取る。ストッパー挟み部（３−ｂ）のハの字形の広くなったほうの中ほどより下側部分は両サイドとも削り取る。
（ニ）筒状で、先端に頭部支持部用開口部（４−ａ）、先端より少し中ほど上面にスイッチ用開口部（４−ｂ）、頭部支持部用開口部（４−ａ）より筒状内側の左右にストッパー（４−ｃ）を設けた握り部（４）を設ける。
（ホ）引っ掛け部（５）を設ける。
本考案は以上の構成よりなる伸縮コップ・ポット洗いである。
【考案の効果】
【０００６】  本考案の最大の特徴は、切り換えスイッチにあり中でも取り付けの際に９０度回転させて取り付けることによって、取り付け作業は簡単であるにもかかわらず一旦取り付けたら容易に落ちないという点である。
本考案を利用することによって、従来のコップ洗い・ポット洗い兼用クリーナーと違いスイッチ部分が簡素になったことにより、デザイン的にもすっきりし、部品点数が減少したことにより組み立ても簡単になり、価格的にも従来商品より安価で提供することが出来るようになる。
【考案を実施するための最良の形態】
【０００７】  以下本考案を実施するための最良の形態について説明する。
（イ）  コップやポットを洗浄する頭部（１）を設ける。通常は切り込みを入れたスポンジが一般的である。
（ロ）先端に頭部掴み部（２−ａ）、中央より少し後ろ部分の両側に、多段階に切り換えが可能な切り込み部（２−ｂ）を設けた頭部支持部（２）を設ける。
（ハ）押したり引いたりしやすいように中央部を盛り上げてスイッチ中央部（３−ａ）とし、その反対面直角の位置にストッパー（４−ｃ）を挟みやすいようにハの字形にしたストッパー挟み部（３−ｂ）を有する切り換えスイッチ（３）を設ける。ストッパー挟み部（３−ｂ）とスイッチ中央部（３−ａ）に接する部分の一方は前方を削り取り、もう一方は後方を削り取る。脱着が簡単に出来るように、ストッパー挟み部（３−ｂ）のハの字形の広くなったほうの中ほどより下側部分は両サイドとも削り取る。
（ニ）筒状で、先端に頭部支持部用開口部（４−ａ）、先端より少し中ほど上面にスイッチ用開口部（４−ｂ）、頭部支持部用開口部（４−ａ）より筒状内側の左右に、頭部支持部（２）の切り込み部（２−ｂ）を挟み込んで止めるためのストッパー（４−ｃ）を設けた握り部（４）を設ける。
（ホ）不使用時に壁面などに掛けるための引っ掛け部（５）を設ける。
本考案は以上の構成よりなる伸縮コップ・ポット洗いである。
本考案を組み立てる時は、頭部（１）を頭部支持部（２）の頭部掴み部（２−ａ）で挟み込み、切り換えスイッチ（３）を握り部（４）のスイッチ用開口部（４−ｂ）に直角の位置に入れてハの字型の開いた方が前方に来るように９０度回転させ、切り換えスイッチ（３）が手前にある状態で頭部支持部（２）を差し込み、引っ掛け部（５）を取り付けて出来上がりである。
本考案を使用するときは、切り換えスイッチ（３）を手前の状態で被洗浄物の深さに合わせ、丁度良いところで切り換えスイッチ（３）を前方へ押して固定させて使用すればよい。
【図面の簡単な説明】
【０００８】
【図１】    本考案の斜視図
【図２】    本考案の頭部支持部の斜視図
【図３】    本考案の切り換えスイッチの拡大正面図
【図４】    本考案の切り換えスイッチの拡大平面図
【図５】    本考案の切り換えスイッチの拡大右側面図
【図６】    本考案の握り部の平面図
【図７】    本考案の握り部の正面図
【図８】    本考案の握り部の断面図
【符号の説明】
【０００９】（１）        頭部
（２）        頭部支持部
（２−ａ）    頭部掴み部
（２−ｂ）    切り込み部
（３）        切り替えスイッチ
（３−ａ）    スイッチ中央部
（３−ｂ）    ストッパー挟み部
（４）        握り部
（４−ａ）    頭部支持部用開口部
（４−ｂ）    切り替えスイッチ用開口部
（４−ｃ）    ストッパー
（５）        引っ掛け部
【図１】
0003107335.tif 000003
【図２】
0003107335.tif 000004
【図３】
0003107335.tif 000005
【図４】
0003107335.tif 000006
【図５】
0003107335.tif 000007
【図６】
0003107335.tif 000008
【図７】
0003107335.tif 000009
【図８】
0003107335.tif 000010